(57)【特許請求の範囲】
【請求項１】
透過性部材と非透過性部材を接着してなる時計の外装において、
前記透過性部材の接着面に蒸着膜を設けると共に、前記接着面のエッジ部付近に光を拡散する拡散部を設けることを特徴とする時計の外装構造。
【請求項２】
前記拡散部はサンドブラスト加工を施すことにより形成されることを特徴とする請求項１記載の時計の外装構造。
【発明の詳細な説明】
【０００１】
【発明の属する技術分野】
本発明は、時計の外装構造に関するものであり、特に、透過性部材と非透過性部材を接着することにより形成される外装の構造に関するものである。
【０００２】
【従来の技術】
従来より、クリスタルガラスからなる透過性部材と大理石からなる非透過性部材を接着した時計の外装が商品化されている。この外装は、透過性部材と非透過性部材の接着面を平坦な面に仕上げ、その接着面を突き合わせて接着したものであった。
【０００３】
【発明が解決しようとする課題】
上記従来技術の外装構造においては、透過性部材を通してその背後にある物が見え、これにより透明でクリアーな印象を与えるものとなっている。このように、透過性部材を通して物が見えるため、透過性部材と非透過性部材の接着面も透過性部材を通して外側から見えることになる。
【０００４】
ここで、透過性部材と非透過性部材の接着面が完全に密着せず、接着面の間に部分的に隙間が生じていると、この隙間がわずかなものであってもそこに空気が入り込み、その部分が光を反射して白っぽく濁って見えることになる。これに対して、接着面が完全に密着している部分は、透過性部材を通して非透過性部材の接着面が明確に見えることになる。このため、接着面の間に部分的に隙間があると、透過性部材を通して見える非透過性部材の接着面の中に、隙間による反射部分が白っぽくムラがあるように見えることになる。このように、接着面に隙間があると、透過性部材の透明感を損ない、外観品質を大きく低下させることになっていた。
【０００５】
本発明は、上記従来技術の課題に鑑みなされたもので、接着面に隙間があったとしても透過性部材を通して見える接着部分の状態に悪影響を及ぼすことがなく、外観品質を常に良好な状態に保つことができる時計の外装構造を提供するものである。
【０００６】
【課題を解決するための手段】
本発明の時計の外装構造は、透過性部材と非透過性部材を接着してなる時計の外装において、前記透過性部材の接着面に蒸着膜を設けると共に、前記接着面のエッジ部付近に光を拡散する拡散部を設けたものである。また、この時計の外装構造における前記拡散部は、サンドブラスト加工を施すことにより形成されている。
【０００７】
【発明の実施の形態】
本発明の時計の外装構造は、透過性部材と非透過性部材を互いの接着面を突き合わせて接着してなるものである。透過性部材の接着面には、蒸着が施されて蒸着膜が形成されており、この蒸着膜が形成された接着面と非透過性部材の接着面が接着される。これにより、透過性部材を通して接着面を見たときに、蒸着膜により光が反射されて接着面全体が鏡状になり、隙間による部分的なムラが生じることがなくなる。
【０００８】
また、透過性部材の接着面に蒸着膜を設けると、その接着面のエッジ部に発生する微小なチップやクラックが光を反射して目立つことがある。このため、エッジ部にサンドブラスト加工を施してチップやクラックを除去すると共に光を拡散する拡散部を形成して残ったチップやクラックの反射光を分散させ、エッジ部のチップやクラックを目立たなくしている。
【０００９】
【実施例】
以下、図面に基いて本発明の実施例を説明する。図１は本発明の一実施例に係る置時計の正面図、図２はそのＡ−Ａ断面図、図３は図２に示す接着面付近の拡大図である。
【００１０】
２は時計の外装である。本実施例における外装２は、時計本体４が嵌め込まれている透過性部材６と、その下に設けられている非透過性部材８とから構成されている。また、非透過性部材８の下には台座形状の装飾体１０が設けられており、この装飾体１０から立ち上がり透過性部材６の外周を囲むように彎曲した枠状の装飾体１２も設けられている。
【００１１】
透過性部材６はクリスタルガラス等からなり、これを通してその背後等にある物を透視することができるものとなっている。また、非透過性部材８は大理石等からなり、透過性部材６に密着して一体感を出し、且つデザイン上のアクセントとなるように設けられている。
【００１２】
この透過性部材６と非透過性部材８は、図３に示すように、互いの接着面６ａ，８ａを突き合わせて密着させた状態で接着されている。この接着面６ａ，８ａは共に鏡面状の極めて平坦な面で構成されており、透過性部材６の接着面６ａには蒸着膜１４が設けられている。
【００１３】
この蒸着膜１４は、図４に示すように、透過性部材６と非透過性部材８を接着する前に、透過性部材６の接着面６ａ上にアルミ等を蒸着させることにより形成したものである。尚、この蒸着膜１４の厚みは極めて薄く図示することができないものであるが、説明のため誇張して図示している。
【００１４】
上記のように蒸着膜１４を形成した透過性部材６の接着面６ａは、非透過性部材８の接着面８ａに突き合わされて接着される。このときに、図５に示すように、接着面６ａ，８ａの間にわずかな隙間Ｇが生じたとしても、透過性部材６を通して接着面６ａから見えるものは蒸着膜１４であるため、接着面６ａ全域が一様に鏡のように見えることになる。従って、隙間Ｇにより部分的に白っぽく見えることはなくなる。
【００１５】
一方、図６に示すように、透過性部材６の接着面６ａのエッジ６ｂには、微小なチップやクラックＣが発生することがある。このチップやクラックＣは、微小なものであっても接着面６ａや端面６ｄに対して様々な角度をなす面を持っている。このため、接着面６ａや端面６ｄとは異なる方向に光を反射したり透過して、チップやクラックＣの付近だけが光って見えることがある。このような現象は、接着面６ａにアルミ等を蒸着した蒸着膜１４を形成して接着面６ａを鏡のようにしたことによってより目立つことがある。
【００１６】
そこで、図７に示すように、透過性部材６のエッジ部６ｂから端面６ｄにサンドブラスト加工を施してすりガラスのように曇って光を拡散する帯状の拡散部６ｃを形成している。この拡散部６ｃを設けることにより、チップやクラックＣの一部は除去され、残ったチップやクラックＣもその周辺の入射光及び反射光が拡散されることにより、そのチップやクラックＣが反射又は透過する光を拡散して目立たなくすることができる。この拡散部６ｃの幅Ｗは約０．５〜１ｍｍ程度に設定することが好ましい。
【００１７】
尚、上記実施例における透過性部材６と非透過性部材８は、クリスタルガラスや大理石でなくても良いものであり、プラスチックや他の自然素材等であっても良い。
【００１８】
また、蒸着膜１４も、アルミ以外の金属や非金属等の微小片を蒸着することにより形成しても良いものであり、非透過性部材８と同質あるいは同色の微小片を蒸着させて接着面６ａ，８ａが完全に密着して接着部分から非透過性部材８が見えているかのように見せることも可能である。
【００１９】
【発明の効果】
上記本発明によれば、透過性部材と非透過性部材を互いの接着面を突き合わせて接着したときに、接着面の間に隙間が生じても、透過性部材の接着面に蒸着を施して蒸着膜を形成しているので、透過性部材を通して隙間によるムラが見えることがなく、外観品質を良好な状態にすることができる。
【００２０】
また、接着面のエッジ部に微小なチップやクラックがある場合にも、エッジ部付近にサンドブラスト加工を施して拡散部を設けることで、チップやクラック付近が光って目立つことを防ぎ、外観品質を良好に保つことができる。
【図面の簡単な説明】
【図１】本発明の一実施例に係る置時計の正面図である。
【図２】図１に示す時計のＡ−Ａ断面図である。
【図３】図２に示す接着面付近の拡大図である。
【図４】図３に示す接着面の接着前の状態を示す拡大断面図である。
【図５】図３に示す接着面の間に隙間が生じたときの状態を示す拡大断面図である。
【図６】図３に示す接着面のエッジ部にチップやクラックがあるときの状態を示す拡大断面図である。
【図７】透過性部材の接着面のエッジ部付近に拡散部を形成した状態を示す部分拡大正面図である。
【符号の説明】
２              外装
４              時計本体
６              透過性部材
６ａ            接着面
６ｂ            エッジ部
６ｃ            拡散部
８              非透過性部材
８ａ            接着面
１４            蒸着膜
【図１】
0003610022.tif 000002
【図２】
0003610022.tif 000003
【図３】
0003610022.tif 000004
【図４】
0003610022.tif 000005
【図５】
0003610022.tif 000006
【図６】
0003610022.tif 000007
【図７】
0003610022.tif 000008